(57)【特許請求の範囲】
【請求項１】
端末装置の充電用共振手段を電磁誘導により共振させて電流を誘起する充電用発振手段と、前記充電用発振手段に電力を供給する電源供給手段と、前記充電用発振手段の発振を制御する発振制御手段と、前記端末装置とデータ通信する通信手段とを備え、前記発振制御手段は前記通信手段の通信状態によって発振する磁界の強さを制御することで充電と通信とを同時に行うことを可能とした給電装置において、
前記発振制御手段は、前記通信手段の通信状態において当該通信に影響しない所定の強さの磁界を前記充電発振手段に発生させ、かつ、前記通信手段の非通信状態において上記所定の強さ以上の磁界を前記充電発振手段に発生させることを特徴とする給電装置。
【発明の詳細な説明】
【０００１】
【発明の属する技術分野】
本発明は、端末装置および給電装置に関するものであり、特に電磁誘導を利用した非接触充電方式を用いた端末装置および給電装置に関するものである。
【０００２】
【従来の技術】
近年、携帯端末のみならず、コードレス電話、電動歯ブラシなど電池を電源に用いる製品において防水性の向上や充電端子での短絡などを防止するため、電磁誘導を用いた非接触式の充電方式が多く用いられるようになってきている。
【０００３】
【発明が解決しようとする課題】
充電中に端末装置と給電装置間で光通信などを行おうとした際に、通信用の半導体などが磁界の影響を受け、通信成功率の低下などの現象が起こりやすくなる。
【０００４】
本発明は上記のような課題に鑑み、磁界の影響を抑制し充電動作と通信などの動作を同時に行う携帯端末装置を提供することを目的とする。
【０００５】
【課題を解決するための手段】
上記目的を解決するために、本発明の給電装置は、データ通信用端末装置の充電用共振手段を電磁誘導により共振させて電流を誘起する充電用発振手段と、前記充電用発振手段に電力を供給する電源供給手段と、前記充電用発振手段の発振を制御する発振制御手段と、前記データ通信用端末装置とデータ通信する通信手段とを備え、前記発信制御手段は前記通信手段の通信状態によって発振する磁界の強さを制御することで充電と通信とを同時に行うことを可能としたものである。
【０００６】
また、本発明のデータ通信システムは、データ通信用端末装置と、前記データ通信用端末装置とデータ通信を行う外部装置と、前記データ通信用端末装置の充電用共振手段を電磁誘導により共振させて電流を誘起する充電用発振手段と、前記充電用発振手段に電力を供給する電源供給手段と、前記データ通信用端末装置と前記外部装置との通信状態により前記充電用発振手段の発振を制御することで充電と通信とを同時に行うことを可能とした発振制御手段とを備えた、給電装置とからなるものである。
【０００７】
【発明の実施の形態】
（実施の形態１）
次に、本発明の第１の実施の形態について、図１と図２を使用して説明する。
【０００８】
図１は本発明の第１の実施の形態における端末装置および給電装置の構成を示すブロック図である。
【０００９】
図１は同給電装置の発振制御手段の構成図である。
端末装置１が給電装置２に置かれると、端末装置１のデータ処理手段１９と例えば光通信などの通信手段２０および給電装置２のデータ処理手段２１と通信手段２２により端末装置１と給電装置２間で通信が行われ、低電圧供給手段２３による充電用発振手段３への電力供給が行われ、発振が始まる。このとき、低電圧で発振させているため発生する磁界は通信に影響が出ない程度の磁界になる。端末装置１の充電用共振手段４は電磁誘導により電流を誘起する。誘起された電流は充電制御手段１６により制御され、電池１７に充電される。
【００１０】
端末装置１と給電装置２間で必要なデータについて通信を終えると、給電装置２は高電圧供給手段２３から充電用発振手段３への電力供給に切換える。このとき発生する磁界は低電圧の時より強くなるため、端末装置１の得られる電流も大きくなり、通信中の時より急速に充電を行うことができる。
【００１１】
このように充電中の磁界の強さを制御するので、通信中などにおいて磁界の強さを制御し影響を抑えることにより、充電動作と通信動作などを同時に行うことができ、通信が終わると急速充電を行うことができる。
【００１２】
なお本実施の形態では端末装置１と給電装置２間での通信を例としているが、例えば端末装置１に無線通信手段が備えてあり、充電中に給電装置２以外の無線通信手段を備えている装置との間で無線通信を行う場合にも、上記と同様磁界の強度を変えることにより無線への磁界の影響を抑え、充電動作と無線通信を同時に行うことができる。
【００１３】
なお、磁界の強さを変えることによって温度上昇も変化するので、例えば、冬季には高電圧による充電を行い、温度上昇の厳しい夏期には低電圧による充電を行うなど、季節・時間・場所などによって充電時の磁界の強さを変更することもできる。
（実施の形態２）
次に、本発明の第２の実施の形態について、図３を使用して説明する。
【００１４】
図３は本発明の第２の実施の形態における端末装置および給電装置の構成を示すブロック図である。
【００１５】
発振が始まるまでの動作は第１の実施の形態と同様のため説明を省略する。データ処理手段１９や通信手段２０などへの電池１７からの電力供給をＯＮ／ＯＦＦする電源ＯＮ／ＯＦＦ手段２５がＯＦＦの状態での端末装置１が給電装置２に置かれると、給電装置２の発振が始まる。端末装置１の充電用共振手段４が共振すると、充電制御手段１６に電流を供給すると同時に、共振検出手段２６によって共振が始まったことを検出する。共振検出手段２６は、データ処理手段１９や通信手段２０などへの電池１７からの電力供給をＯＮ／ＯＦＦする電源ＯＮ／ＯＦＦ手段２５をＯＮ動作し、データ処理手段１９や通信手段２０などが動作し始め、端末装置１と給電装置２間との通信が始まる。
【００１６】
さらに具体的な例を説明する。
端末装置１内に蓄積したデータを給電装置２を通して他のコンピュータなどへ通信する場合に、作業者は端末装置１の電源ＯＮ／ＯＦＦ状態を気にすることなく給電装置２に置く。給電装置２に置かれた端末装置１は上記動作により自動的に電源ＯＮ状態になり、給電装置２を通してコンピュータへデータの送信を始める。データの送信を終了すると、端末装置１は自動的に電源をＯＦＦする。この間も給電装置からの電磁誘導による電力供給は行われている。
【００１７】
このように、電源がＯＦＦの状態で端末装置１側で給電装置２に置かれたことを検出することができ、また検出に物理的なスイッチなどを必要とせず、端末装置１の防水性を向上させデザインの自由度を向上させることができる。
【００１８】
【発明の効果】
本発明によれば、発振制御手段により磁界の強さを制御
するので、通信中などにおいて磁界の強さを制御し影響を抑えることにより充電と通信を同時に行うことができる。
【図面の簡単な説明】
【図１】本発明の第１の実施の形態における端末装置および給電装置の構成を示すブロック図
【図２】同給電装置の発振制御手段の構成図
【図３】本発明の第２の実施の形態における端末装置および給電装置の構成を示すブロック図
【符号の説明】
１  端末装置
２  給電装置
３  充電用発振手段（発振用コイル）
４  充電用共振手段（共振用コイル）
１５  電源供給手段
１６  充電制御手段
１７  電池
１８  発振制御手段
１９  端末装置のデータ処理手段
２０  端末装置の通信手段
２１  給電装置のデータ処理手段
２２  給電装置の通信手段
２３  低電圧供給手段
２４  高電圧供給手段
２５  電源ON/OFF手段
２６  共振検出手段
【図１】
0003923402.tif 000002
【図２】
0003923402.tif 000003
【図３】
0003923402.tif 000004